(57)【特許請求の範囲】
【請求項１】
ズームレンズであって、
物体側から像面側へ向かって、順に、負の屈折力を有する第１レンズ、正の屈折力を有する第２レンズ、負の屈折力を有する第３レンズ、正の屈折力を有する第４レンズ、負の屈折力を有する第５レンズ群からなり、
変倍時には、前記第１レンズ、前記第２レンズ、前記第３レンズ、前記第４レンズおよび前記第５レンズ群は、隣接するレンズ又はレンズ群の光軸方向の間隔を変化させ、
前記第５レンズ群は、正の屈折力を有する第５レンズと負の屈折力を有する第６レンズからなり、
そのうち、Ｗｉｄｅ端の前記ズームレンズ全体の焦点距離をｆ＿Ｗｉｄｅ、Ｔｅｌｅ端の前記ズームレンズ全体の焦点距離をｆ＿Ｔｅｌｅ、前記第２レンズの焦点距離をｆ２、前記第３レンズの焦点距離をｆ３、前記第４レンズの焦点距離をｆ４にしたときに、以下の条件式（１）〜（３）を満足することを特徴とするズームレンズ。
ｆ＿Ｔｅｌｅ／ｆ＿Ｗｉｄｅ＞１．８０                                （１）
−１．８５≦ｆ３／ｆ２≦−１．２０                                  （２）
２．００≦ｆ４／ｆ２≦３．００                                      （３）
【請求項２】
前記第１レンズの焦点距離をｆ１にしたときに、以下の条件式（４）を満足することを特徴とする請求項１に記載のズームレンズ。
−３．２０≦ｆ１／ｆ２≦−２．５０                                  （４）
【請求項３】
前記第５レンズ群の合成焦点距離をｆＧ５、前記第５レンズの焦点距離をｆ５、前記第６レンズの焦点距離をｆ６にしたときに、以下の条件式（５）、（６）を満足することを特徴とする請求項１に記載のズームレンズ。
−５．００≦ｆＧ５／ｆ２≦−２．５０                                （５）
−３．１０≦ｆ５／ｆ６≦−２．００                                  （６）
【請求項４】
Ｗｉｄｅ端の前記第６レンズの像面側面から像面までの軸上距離をＬＢ＿Ｗｉｄｅ、Ｔｅｌｅ端の前記６レンズの像面側面から像面までの軸上距離をＬＢ＿Ｔｅｌｅにしたときに、以下の条件式（７）を満足することを特徴とする請求項１に記載のズームレンズ。
４．７８≦ＬＢ＿Ｔｅｌｅ／ＬＢ＿Ｗｉｄｅ≦６．２０                  （７）
【請求項５】
前記第１レンズのアッベ数をν１、前記第２レンズのアッベ数をν２、前記第６レンズのアッベ数をν６にしたときに、以下の条件式（８）〜（１０）を満足することを特徴とする請求項１に記載のズームレンズ。
７６．００≦ν１≦８２．００                                        （８）
５８．００≦ν２≦７８．００                                        （９）
７６．００≦ν６≦８２．００                                        （１０）
【発明の詳細な説明】
【技術分野】
【０００１】
本発明は、沈胴構造を有するズームレンズに関する発明である。特に、高画素用のＣＣＤ、ＣＭＯＳなどの撮像素子を使用したスーマートホーン用カメラモジュール、デジタルカメラなどに好適な、Ｗｉｄｅ（ワイド）端でのＦ値（以下、Ｆｎｏとする）が、２．０以下と明るく、良好な光学特性を有し、ズーム比が、１．８０以上で、且つ、沈胴時のＴＴＬ（レンズ全長）が、９．００ｍｍ以下と小型な５群６枚で構成されるズームレンズに関する発明である。
【背景技術】
【０００２】
近年、Ｗｉｄｅ端のＦｎｏ＜２．０、ズーム比＞１．８０で、良好な光学特性を有し、非撮影時にレンズ鏡筒をカメラ内に沈胴させてＴＴＬを短くし、沈胴時に小型なズームレンズが求められている。
【０００３】
６枚のレンズで構成されたズームレンズに関する技術開発が進められている。この６枚構成のズームレンズとしては、３群６枚で構成されたものが、特許文献１に提案されている。
【０００４】
特許文献１の実施例に開示された撮像レンズは、ズーム比が、４．７４以上であるが、Ｗｉｄｅ端のＦｎｏが、２．５５２以上と明るさが不十分であり、且つ、撮影時のＴＴＬも長く、小型化も不十分であった。
【先行技術文献】
【特許文献】
【０００５】
【特許文献１】米国公開特許番号  ＵＳ２０２０／０２４１２６５  Ａ１
【発明の概要】
【発明が解決しようとする課題】
【０００６】
本発明は、沈胴時のＴＴＬ＜９．００ｍｍと小型で、撮影時は、Ｗｉｄｅ端のＦｎｏ＜２．０と明るく、良好な光学特性を有し、ズーム比＞１．８０で、５群６枚で構成されるズームレンズを提供することを目的とする。
【課題を解決するための手段】
【０００７】
上記目標を達成するために、第３レンズの焦点距離と第２レンズの焦点距離との比、第４レンズの焦点距離と第２レンズの焦点距離との比を鋭意検討した結果、従来技術の課題が改善されたズームレンズを得ることを見出し、本発明に到達した。
【０００８】
本発明の実施形態には、ズームレンズが提供され、前記ズームレンズは、物体側から像面側へ向かって、順に、負の屈折力を有する第１レンズ、正の屈折力を有する第２レンズ、負の屈折力を有する第３レンズ、正の屈折力を有する第４レンズ、負の屈折力を有する第５レンズ群からなり、
変倍時には、前記第１レンズ、前記第２レンズ、前記第３レンズ、前記第４レンズおよび前記第５レンズ群は、隣接するレンズ又はレンズ群の光軸方向の間隔を変化させ、
前記第５レンズ群は、正の屈折力を有する第５レンズと負の屈折力を有する第６レンズからなり、
以下の条件式（１）〜（３）を満足する。
ｆ＿Ｔｅｌｅ／ｆ＿Ｗｉｄｅ＞１．８０                                （１）
−１．８５≦ｆ３／ｆ２≦−１．２０                                  （２）
２．００≦ｆ４／ｆ２≦３．００                                      （３）
但し、
ｆ＿Ｗｉｄｅ：Ｗｉｄｅ（ワイド）端のズームレンズ全体の焦点距離
ｆ＿Ｔｅｌｅ：Ｔｅｌｅ（テレ）端のズームレンズ全体の焦点距離
ｆ２：第２レンズの焦点距離
ｆ３：第３レンズの焦点距離
ｆ４：第４レンズの焦点距離
である。
【０００９】
好ましくは、以下の条件式（４）を満足する。
−３．２０≦ｆ１／ｆ２≦−２．５０                                  （４）
但し、
ｆ１：第１レンズの焦点距離
ｆ２：第２レンズの焦点距離
である。
【００１０】
好ましくは、以下の条件式（５）、（６）を満足する。
−５．００≦ｆＧ５／ｆ２≦−２．５０                                （５）
−３．１０≦ｆ５／ｆ６≦−２．００                                  （６）
但し、
ｆ２：第２レンズの焦点距離
ｆＧ５：第５レンズ群の合成焦点距離
ｆ５：第５レンズの焦点距離
ｆ６：第６レンズの焦点距離
である。
【００１１】
好ましくは、以下の条件式（７）を満足する。
４．７８≦ＬＢ＿Ｔｅｌｅ／ＬＢ＿Ｗｉｄｅ≦６．２０                  （７）
但し、
ＬＢ＿Ｗｉｄｅ：Ｗｉｄｅ端の第６レンズの像面側面から像面までの軸上距離
ＬＢ＿Ｔｅｌｅ：Ｔｅｌｅ端の第６レンズの像面側面から像面までの軸上距離
である。
【００１２】
好ましくは、以下の条件式（８）〜（１０）を満足する。
７６．００≦ν１≦８２．００                                        （８）
５８．００≦ν２≦７８．００                                        （９）
７６．００≦ν６≦８２．００                                        （１０）
但し、
ν１：第１レンズのアッベ数
ν２：第２レンズのアッベ数
ν６：第６レンズのアッベ数
である。
【発明の効果】
【００１３】
本発明の有益な効果は下記の通りである。
【００１４】
本発明は、特に、高画素用のＣＣＤ、ＣＭＯＳなどの撮像素子を使用したスーマートホーン用カメラモジュール、デジタルカメラなどに好適な、沈胴時のＴＴＬ＜９．００ｍｍと小型で、撮影時は、Ｗｉｄｅ端のＦｎｏ＜２．０と明るく、良好な光学特性を有し、ズーム比＞１．８０で、５群６枚で構成されるズームレンズに関する発明である。
【図面の簡単な説明】
【００１５】
【図１】図１は、本発明の実施例１のズームレンズＬＡの概略構成を示す図である。
【図２】図２は、本発明の実施例１のズームレンズＬＡのＷｉｄｅ端の球面収差、非点収差、歪曲収差を示す図である。
【図３】図３は、本発明の実施例１のズームレンズＬＡのＴｅｌｅ端の球面収差、非点収差、歪曲収差を示す図である。
【図４】図４は、本発明の実施例２のズームレンズＬＡの概略構成を示す図である。
【図５】図５は、本発明の実施例２のズームレンズＬＡのＷｉｄｅ端の球面収差、非点収差、歪曲収差を示す図である。
【図６】図６は、本発明の実施例２のズームレンズＬＡのＴｅｌｅ端の球面収差、非点収差、歪曲収差を示す図である。
【図７】図７は、本発明の実施例３のズームレンズＬＡの概略構成を示す図である。
【図８】図８は、本発明の実施例３のズームレンズＬＡのＷｉｄｅ端の球面収差、非点収差、歪曲収差を示す図である。
【図９】図９は、本発明の実施例３のズームレンズＬＡのＴｅｌｅ端の球面収差、非点収差、歪曲収差を示す図である。
【図１０】図１０は、本発明の実施例４のズームレンズＬＡの概略構成を示す図である。
【図１１】図１１は、本発明の実施例４のズームレンズＬＡのＷｉｄｅ端の球面収差、非点収差、歪曲収差を示す図である。
【図１２】図１２は、本発明の実施例４のズームレンズＬＡのＴｅｌｅ端の球面収差、非点収差、歪曲収差を示す図である。
【図１３】図１３は、本発明の実施例５のズームレンズＬＡの概略構成を示す図である。
【図１４】図１４は、本発明の実施例５のズームレンズＬＡのＷｉｄｅ端の球面収差、非点収差、歪曲収差を示す図である。
【図１５】図１５は、本発明の実施例５のズームレンズＬＡのＴｅｌｅ端の球面収差、非点収差、歪曲収差を示す図である。
【発明を実施するための形態】
【００１６】
本発明の目的、技術考案及び利点をより明確にするために、以下、図面を参照しながら本発明の各実施形態を詳しく説明する。しかしながら、本発明の各実施形態において、本発明に対する理解を便宜にするために、多くの技術的細部まで記載されているが、これらの技術的細部及び以下の各実施形態に基づく種々の変化及び修正がなくても、本発明が保護しようとする技術考案を実現可能であることは、当業者にとっては自明なことである。
【００１７】
本発明に係るズームレンズの実施形態について説明する。このズームレンズＬＡは、物体側から像面側へ向かって、第１レンズＬ１、第２レンズＬ２、第３レンズＬ３、第４レンズＬ４、第５レンズ群Ｇ５が配置され、第５レンズ群Ｇ５は、第５レンズＬ５、第６レンズＬ６から構成された５群６枚構成のレンズ系を備えている。第６レンズＬ６と像面との間に、ガラス平板ＧＦが配置される。このガラス平板ＧＦとしては、カバーガラス、及び、各種フィルターなどを想定したものである。本発明において、ガラス平板ＧＦは、異なる位置に配置されてもよく、省略した構成も可能である。
【００１８】
第１レンズＬ１は、負の屈折力を有するレンズであり、第２レンズＬ２は、正の屈折力を有するレンズであり、第３レンズＬ３は、負の屈折力を有するレンズであり、第４レンズＬ４は、正の屈折力を有するレンズであり、第５群レンズＧ５は、負の屈折力を有するレンズ群であり、第５レンズ群Ｇ５は、第５レンズＬ５、第６レンズＬ６で構成され、第５レンズＬ５は、正の屈折力を有するレンズであり、第６レンズＬ６は、負の屈折力を有するレンズである。これらの６枚のレンズ表面は、諸収差を良好に補正するため、全面を非球面形状とすることが望ましい。
【００１９】
このズームレンズＬＡは、以下の条件式（１）を満足する。
ｆ＿Ｔｅｌｅ／ｆ＿Ｗｉｄｅ＞１．８０                                （１）
【００２０】
この条件式（１）は、ズームレンズＬＡのズーム比を規定するものである。条件式（１）の範囲内にすることにより、諸収差の補正が容易となり、ズーム比が十分となり好ましい。
【００２１】
このズームレンズＬＡは、以下の条件式（２）を満足する。
−１．８５≦ｆ３／ｆ２≦−１．２０                                  （２）
【００２２】
この条件式（２）は、第３レンズＬ３の焦点距離ｆ３と第２レンズＬ２の焦点距離ｆ２との比を規定するものである。条件式（２）の範囲内にすることにより、沈胴時の小型化、及び、Ｗｉｄｅ端のＦｎｏ＜２．０、ズーム比＞１．８０での諸収差の補正が容易となり好ましい。
【００２３】
このズームレンズＬＡは、以下の条件式（３）を満足する。
２．００≦ｆ４／ｆ２≦３．００                                      （３）
【００２４】
この条件式（３）は、第４レンズＬ４の焦点距離ｆ４と第２レンズＬ２の焦点距離ｆ２との比を規定するものである。条件式（３）の範囲内にすることにより、沈胴時の小型化、及び、Ｗｉｄｅ端のＦｎｏ＜２．０、ズーム比＞１．８０での諸収差の補正が容易となり好ましい。
【００２５】
このズームレンズＬＡは、以下の条件式（４）を満足する。
−３．２０≦ｆ１／ｆ２≦−２．５０                                  （４）
【００２６】
この条件式（４）は、第１レンズＬ１の焦点距離ｆ１と第２レンズＬ２の焦点距離ｆ２との比を規定するものである。条件式（４）の範囲内にすることにより、沈胴時の小型化、及び、Ｗｉｄｅ端のＦｎｏ＜２．０、ズーム比＞１．８０での諸収差の補正が容易となり好ましい。
【００２７】
このズームレンズＬＡは、以下の条件式（５）を満足する。
−５．００≦ｆＧ５／ｆ２≦−２．５０                                （５）
【００２８】
この条件式（５）は、第５レンズ群Ｇ５の合成焦点距離ｆＧ５と第２レンズＬ２の焦点距離ｆ２との比を規定するものである。条件式（５）の範囲内にすることにより、沈胴時の小型化、及び、Ｗｉｄｅ端のＦｎｏ＜２．０、ズーム比＞１．８０での諸収差の補正が容易となり好ましい。
【００２９】
このズームレンズＬＡは、以下の条件式（６）を満足する。
−３．１０≦ｆ５／ｆ６≦−２．００                                  （６）
【００３０】
この条件式（６）は、第５レンズＬ５の焦点距離ｆ５と第６レンズＬ６の焦点距離ｆ６との比を規定するものである。条件式（６）の範囲内にすることにより、沈胴時の小型化、及び、Ｗｉｄｅ端のＦｎｏ＜２．０、ズーム比＞１．８０での諸収差の補正が容易となり好ましい。
【００３１】
このズームレンズＬＡは、以下の条件式（７）を満足する。
４．７８≦ＬＢ＿Ｔｅｌｅ／ＬＢ＿Ｗｉｄｅ≦６．２０                  （７）
【００３２】
この条件式（７）は、Ｔｅｌｅ端の第６レンズＬ６の像面側面Ｓ１２から像面までの軸上距離ＬＢ＿ＴｅｌｅとＷｉｄｅ端の第６レンズＬ６の像面側面Ｓ１２から像面までの軸上距離ＬＢ＿Ｗｉｄｅとの比を規定するものである。条件式（７）の範囲内にすることにより、沈胴時の小型化、及び、Ｗｉｄｅ端のＦｎｏ＜２．０、ズーム比＞１．８０での諸収差の補正が容易となり好ましい。
【００３３】
このズームレンズＬＡは、以下の条件式（８）を満足する。
７６．００≦ν１≦８２．００                                        （８）
【００３４】
この条件式（８）は、第１レンズＬ１のアッベ数ν１を規定するものである。条件式（８）の範囲内にすることにより、沈胴時の小型化、及び、Ｗｉｄｅ端のＦｎｏ＜２．０、ズーム比＞１．８０での諸収差の補正が容易となり好ましい。
【００３５】
このズームレンズＬＡは、以下の条件式（９）を満足する。
５８．００≦ν２≦７８．００                                        （９）
【００３６】
この条件式（９）は、第２レンズＬ２のアッベ数ν２を規定するものである。条件式（９）の範囲内にすることにより、沈胴時の小型化、及び、Ｗｉｄｅ端のＦｎｏ＜２．０、ズーム比＞１．８０での諸収差の補正が容易となり好ましい。
【００３７】
このズームレンズＬＡは、以下の条件式（１０）を満足する。
７６．００≦ν６≦８２．００                                        （１０）
【００３８】
この条件式（１０）は、第６レンズＬ６のアッベ数ν６を規定するものである。条件式（１０）の範囲内にすることにより、沈胴時の小型化、及び、Ｗｉｄｅ端のＦｎｏ＜２．０、ズーム比＞１．８０での諸収差の補正が容易となり好ましい。
【００３９】
ズームレンズＬＡを構成する５群６枚のレンズが、それぞれ前記の構成及び、条件式を満たすことにより、沈胴時のＴＴＬ＜９．００ｍｍと小型で、撮影時は、Ｗｉｄｅ端のＦｎｏ＜２．０と明るく、良好な光学特性を有し、ズーム比＞１．８０で、５群６枚で構成されるズームレンズを得ることが可能となる。
【実施例】
【００４０】
以下に、本発明のズームレンズＬＡについて、実施例を用いて説明する。各実施例に記載されている記号は以下のことを示す。なお、距離、半径及び軸上厚みの単位は、ｍｍである。
ｆ：ズームレンズＬＡ全体の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ｆ５：第５レンズＬ５の焦点距離
ｆ６：第６レンズＬ６の焦点距離
ｆＧ５：第５レンズ群Ｇ５の合成焦点距離
Ｆｎｏ：絞り値（ズームレンズの有効焦点距離と入射瞳径の比）
２ω：全画角
ＳＴＯＰ：開口絞り
Ｒ：光学面の曲率半径、レンズの場合は中心曲率半径
Ｒ１：第１レンズＬ１の物体側面Ｓ１の曲率半径
Ｒ２：第１レンズＬ１の像面側面Ｓ２の曲率半径
Ｒ３：第２レンズＬ２の物体側面Ｓ３の曲率半径
Ｒ４：第２レンズＬ２の像面側面Ｓ４の曲率半径
Ｒ５：第３レンズＬ３の物体側面Ｓ５の曲率半径
Ｒ６：第３レンズＬ３の像面側面Ｓ６の曲率半径
Ｒ７：第４レンズＬ４の物体側面Ｓ７の曲率半径
Ｒ８：第４レンズＬ４の像面側面Ｓ８の曲率半径
Ｒ９：第５レンズＬ５の物体側面Ｓ９の曲率半径
Ｒ１０：第５レンズＬ５の像面側面Ｓ１０の曲率半径
Ｒ１１：第６レンズＬ６の物体側面Ｓ１１の曲率半径
Ｒ１２：第６レンズＬ６の像面側面Ｓ１２の曲率半径
Ｒ１３：ガラス平板ＧＦの物体側面Ｓ１３の曲率半径
Ｒ１４：ガラス平板ＧＦの像面側面Ｓ１４の曲率半径
ｄ：レンズの軸上厚み、又は、レンズ間軸上距離
ｄ１：第１レンズＬ１の軸上厚み
Ｄ１２：第１レンズＬ１の像面側面Ｓ２から第２レンズＬ２の物体側面Ｓ３までの軸上距離
ｄ２：第１レンズＬ１の像面側面Ｓ２から開口絞りＳＴＯＰまでの軸上距離
ｄ３：開口絞りＳＴＯＰから第２レンズＬ２の物体側面Ｓ３までの軸上距離
ｄ４：第２レンズＬ２の軸上厚み
ｄ５：第２レンズＬ２の像面側面Ｓ４から第３レンズＬ３の物体側面Ｓ５までの軸上距離
ｄ６：第３レンズＬ３の軸上厚み
ｄ７：第３レンズＬ３の像面側面Ｓ６から第４レンズＬ４の物体側面Ｓ７までの軸上距離
ｄ８：第４レンズＬ４の軸上厚み
ｄ９：第４レンズＬ４の像面側面Ｓ８から第５レンズＬ５の物体側面Ｓ９までの軸上距離
ｄ１０：第５レンズＬ５の軸上厚み
ｄ１１：第５レンズＬ５の像面側面Ｓ１０から第６レンズＬ６の物体側面Ｓ１１までの軸上距離
ｄ１２：第６レンズＬ６の軸上厚み
ｄ１３：第６レンズＬ６の像面側面Ｓ１２からガラス平板ＧＦの物体側面Ｓ１３までの軸上距離
ｄ１４：ガラス平板ＧＦの軸上厚み
ｄ１５：ガラス平板ＧＦの像面側面Ｓ１４から像面までの軸上距離
ｎｄ：ｄ線の屈折率
ｎｄ１：第１レンズＬ１のｄ線の屈折率
ｎｄ２：第２レンズＬ２のｄ線の屈折率
ｎｄ３：第３レンズＬ３のｄ線の屈折率
ｎｄ４：第４レンズＬ４のｄ線の屈折率
ｎｄ５：第５レンズＬ５のｄ線の屈折率
ｎｄ６：第６レンズＬ６のｄ線の屈折率
ｎｄｇ：ガラス平板ＧＦのｄ線の屈折率
νｄ：アッベ数
ν１：第１レンズＬ１のアッベ数
ν２：第２レンズＬ２のアッベ数
ν３：第３レンズＬ３のアッベ数
ν４：第４レンズＬ４のアッベ数
ν５：第５レンズＬ５のアッベ数
ν６：第６レンズＬ６のアッベ数
νｇ：ガラス平板ＧＦのアッベ数
ＴＴＬ：レンズ全長（第１レンズＬ１の物体側面Ｓ１から像面までの軸上距離）
ＬＢ：第６レンズＬ６の像面側面Ｓ１２から像面までの軸上距離
【００４１】
（実施例１）
図１は、実施例１のズームレンズＬＡの配置を示す構成図である。実施例１のズームレンズＬＡを構成する第１レンズＬ１〜第６レンズＬ６のそれぞれの物体側面及び像面側面の曲率半径Ｒ、レンズ軸上厚み又はレンズ間軸上距離ｄ、屈折率ｎｄ、アッベ数νｄを表１に、撮影時、及び、沈胴時のＡ〜Ｅの値を表２に、円錐係数ｋ、非球面係数を表３に、Ｆｎｏ、２ω、ｆ、ＴＴＬ、ＬＢ、ｆ１、ｆ２、ｆ３、ｆ４、ｆＧ５、ｆ５、ｆ６、ＩＨ、ズーム比を表４に示す。
【００４２】
【表１】
0006903244.tif 000002
参照波長=587.6nm
【００４３】
【表２】
0006903244.tif 000003
【００４４】
【表３】
0006903244.tif 000004
【００４５】
ここで、ｋは円錐係数であり、Ａ４、Ａ６、Ａ８、Ａ１０、Ａ１２、Ａ１４、Ａ１６は非球面係数である。
【００４６】
ｙ＝（ｘ２／Ｒ）／［１＋｛１−（ｋ＋１）（ｘ２／Ｒ２）｝１／２］＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６              （１１）
【００４７】
ここで、ｘは非球面曲線上の点と光軸との垂直距離であり、ｙは非球面深さ（非球面における光軸から離れた距離がｘである点と、非球面光軸上の頂点に接する接平面との垂直距離）である。
【００４８】
各レンズ面の非球面は、便宜上、式（１１）で表される非球面を使用している。しかしながら、特に、この式（１１）の非球面多項式に限定するものではない。
【００４９】
【表４】
0006903244.tif 000005
【００５０】
後に登場する表２１は、各実施例１〜５の条件式（１）〜（１０）で規定したパラメータに対応する値を示す。
【００５１】
実施例１は、表２１に示すように、条件式（１）〜（１０）を満足する。
【００５２】
実施例１のズームレンズＬＡのＷｉｄｅ端の球面収差、非点収差、歪曲収差を図２、Ｔｅｌｅ端の球面収差、非点収差、歪曲収差を図３に示す。なお、図の像面湾曲のＳはサジタル像面に対する像面湾曲、Ｔはタンジェンシャル像面に対する像面湾曲であり、実施例２〜５においても同様である。実施例１のズームレンズＬＡは、沈胴時のＴＴＬ＝７．８３１と小型で、Ｗｉｄｅ端のＦｎｏ＝１．９４と明るく、ズーム比＝２．０００で、且つ、図２、図３に示すように、良好な光学特性を有していることがわかる。
【００５３】
（実施例２）
図４は、実施例２のズームレンズＬＡの配置を示す構成図である。実施例２のズームレンズＬＡを構成する第１レンズＬ１〜第６レンズＬ６のそれぞれの物体側面及び像面側面の曲率半径Ｒ、レンズ軸上厚み又はレンズ間軸上距離ｄ、屈折率ｎｄ、アッベ数νｄを表５に、撮影時、及び、沈胴時のＡ〜Ｅの値を表６に、円錐係数ｋ、非球面係数を表７に、Ｆｎｏ、２ω、ｆ、ＴＴＬ、ＬＢ、ｆ１、ｆ２、ｆ３、ｆ４、ｆＧ５、ｆ５、ｆ６、ＩＨ、ズーム比を表８に示す。
【００５４】
【表５】
0006903244.tif 000006
参照波長=587.6nm
【００５５】
【表６】
0006903244.tif 000007
【００５６】
【表７】
0006903244.tif 000008
【００５７】
【表８】
0006903244.tif 000009
【００５８】
実施例２は、表２１に示すように、条件式（１）〜（１０）を満足する。
【００５９】
実施例２のズームレンズＬＡのＷｉｄｅ端の球面収差、非点収差、歪曲収差を図５、Ｔｅｌｅ端の球面収差、非点収差、歪曲収差を図６に示す。実施例２のズームレンズＬＡは、沈胴時のＴＴＬ＝８．３８３と小型で、Ｗｉｄｅ端のＦｎｏ＝１．９６と明るく、ズーム比＝２．０００で、且つ、図５、図６に示すように、良好な光学特性を有していることがわかる。
【００６０】
（実施例３）
図７は、実施例３のズームレンズＬＡの配置を示す構成図である。実施例３のズームレンズＬＡを構成する第１レンズＬ１〜第６レンズＬ６のそれぞれの物体側面及び像面側面の曲率半径Ｒ、レンズ軸上厚み又はレンズ間軸上距離ｄ、屈折率ｎｄ、アッベ数νｄを表９に、撮影時、及び、沈胴時のＡ〜Ｅの値を表１０に、円錐係数ｋ、非球面係数を表１１に、Ｆｎｏ、２ω、ｆ、ＴＴＬ、ＬＢ、ｆ１、ｆ２、ｆ３、ｆ４、ｆＧ５、ｆ５、ｆ６、ＩＨ、ズーム比を表１２に示す。
【００６１】
【表９】
0006903244.tif 000010
参照波長=587.6nm
【００６２】
【表１０】
0006903244.tif 000011
【００６３】
【表１１】
0006903244.tif 000012
【００６４】
【表１２】
0006903244.tif 000013
【００６５】
実施例３は、表２１に示すように、条件式（１）〜（１０）を満足する。
【００６６】
実施例３のズームレンズＬＡのＷｉｄｅ端の球面収差、非点収差、歪曲収差を図８、Ｔｅｌｅ端の球面収差、非点収差、歪曲収差を図９に示す。実施例３のズームレンズＬＡは、沈胴時のＴＴＬ＝８．３３１と沈胴時に小型で、Ｗｉｄｅ端のＦｎｏ＝１．９４と明るく、ズーム比＝１．９９８で、且つ、図８、図９に示すように、良好な光学特性を有していることがわかる。
【００６７】
（実施例４）
図１０は、実施例４のズームレンズＬＡの配置を示す構成図である。実施例４のズームレンズＬＡを構成する第１レンズＬ１〜第６レンズＬ６のそれぞれの物体側面及び像面側面の曲率半径Ｒ、レンズ軸上厚み又はレンズ間軸上距離ｄ、屈折率ｎｄ、アッベ数νｄを表１３に、撮影時、及び、沈胴時のＡ〜Ｅの値を表１４に、円錐係数ｋ、非球面係数を表１５に、Ｆｎｏ、２ω、ｆ、ＴＴＬ、ＬＢ、ｆ１、ｆ２、ｆ３、ｆ４、ｆＧ５、ｆ５、ｆ６、ＩＨ、ズーム比を表１６に示す。
【００６８】
【表１３】
0006903244.tif 000014
参照波長=587.6nm
【００６９】
【表１４】
0006903244.tif 000015
【００７０】
【表１５】
0006903244.tif 000016
【００７１】
【表１６】
0006903244.tif 000017
【００７２】
実施例４は、表２１に示すように、条件式（１）〜（１０）を満足する。
【００７３】
実施例４のズームレンズＬＡのＷｉｄｅ端の球面収差、非点収差、歪曲収差を図１１、Ｔｅｌｅ端の球面収差、非点収差、歪曲収差を図１２に示す。実施例４のズームレンズＬＡは、沈胴時のＴＴＬ＝８．５０１と小型で、Ｗｉｄｅ端のＦｎｏ＝１．９６と明るく、ズーム比＝２．００２で、且つ、図１１、図１２に示すように、良好な光学特性を有していることがわかる。
【００７４】
（実施例５）
図１３は、実施例５のズームレンズＬＡの配置を示す構成図である。実施例５のズームレンズＬＡを構成する第１レンズＬ１〜第６レンズＬ６のそれぞれの物体側面及び像面側面の曲率半径Ｒ、レンズ軸上厚み又はレンズ間軸上距離ｄ、屈折率ｎｄ、アッベ数νｄを表１７に、撮影時、及び、沈胴時のＡ〜Ｅの値を表１８に、円錐係数ｋ、非球面係数を表１９に、Ｆｎｏ、２ω、ｆ、ＴＴＬ、ＬＢ、ｆ１、ｆ２、ｆ３、ｆ４、ｆＧ５、ｆ５、ｆ６、ＩＨ、ズーム比を表２０に示す。
【００７５】
【表１７】
0006903244.tif 000018
参照波長=587.6nm
【００７６】
【表１８】
0006903244.tif 000019
【００７７】
【表１９】
0006903244.tif 000020
【００７８】
【表２０】
0006903244.tif 000021
【００７９】
実施例５は、表２１に示すように、条件式（１）〜（１０）を満足する。
【００８０】
実施例５のズームレンズＬＡのＷｉｄｅ端の球面収差、非点収差、歪曲収差を図１４、Ｔｅｌｅ端の球面収差、非点収差、歪曲収差を図１５に示す。実施例５のズームレンズＬＡは、沈胴時のＴＴＬ＝８．５０３と小型で、Ｗｉｄｅ端のＦｎｏ＝１．９６と明るく、ズーム比＝２．０１４で、且つ、図１４、図１５に示すように、良好な光学特性を有していることがわかる。
【００８１】
表２１に、実施例１〜５の条件式（１）〜（１０）で規定したパラメータに対応する値を示す。
【００８２】
【表２１】
0006903244.tif 000022
【００８３】
上記の各実施形態は本発明を実現するための具体的な実施形態であるが、実際の応用において、本発明の主旨及び範囲から逸脱することなく、形式及び細部に対する種々の変更を行うことができることは、当業者であれば理解できるはずである。
【要約】
【課題】本発明は、光学レンズの分野に関し、ズームレンズを開示する。
【解決手段】物体側から順に、負の屈折力を有する第１レンズ、正の屈折力を有する第２レンズ、負の屈折力を有する第３レンズ、正の屈折力を有する第４レンズ、負の屈折力を有する第５レンズ群からなり、変倍時には、前記第１レンズ、前記第２レンズ、前記第３レンズ、前記第４レンズおよび前記第５レンズ群は、隣接するレンズ又はレンズ群の光軸方向の間隔を変化させ、前記第５レンズ群は、正の屈折力を有する第５レンズと負の屈折力を有する第６レンズからなり、且つ、ｆ＿Ｔｅｌｅ／ｆ＿Ｗｉｄｅ＞１．８０、−１．８５≦ｆ３／ｆ２≦−１．２０、２．００≦ｆ４／ｆ２≦３．００の条件式を満足する。本発明は、沈胴時に小型で、撮影時は、Ｆｎｏが明るく、良好な光学特性を有する
【選択図】図１【図１】
0006903244.tif 000023
【図２】
0006903244.tif 000024
【図３】
0006903244.tif 000025
【図４】
0006903244.tif 000026
【図５】
0006903244.tif 000027
【図６】
0006903244.tif 000028
【図７】
0006903244.tif 000029
【図８】
0006903244.tif 000030
【図９】
0006903244.tif 000031
【図１０】
0006903244.tif 000032
【図１１】
0006903244.tif 000033
【図１２】
0006903244.tif 000034
【図１３】
0006903244.tif 000035
【図１４】
0006903244.tif 000036
【図１５】
0006903244.tif 000037